【事件の表示】
　特願２００６−２３１９８４号「整形外科インプラントキット、整形外科キット、および関連方法」拒絶査定不服審判事件〔平成１９年３月１５日出願公開、特開２００７−６１６２０号、請求項の数（１３）〕について、次のとおり審決する。
【結　論】
　原査定を取り消す。
　本願の発明は、特許すべきものとする。
【理　由】
第１．手続の経緯
　本願は、平成１８年８月２９日（パリ条約による優先権　２００５年８月３０日　米国）の出願であって、平成２３年３月２４日付けで拒絶理由が通知され、平成２３年６月１５日付けで意見書の提出及び手続補正がなされ、平成２３年１２月８日付けで最後の拒絶理由が通知され、平成２４年３月１２日付けで意見書の提出及び手続補正がなされたが、平成２４年９月１１日付けで平成２４年３月１２日付けの手続補正が補正の却下の決定をもって却下されるとともに拒絶査定がなされ、これに対して平成２５年１月２３日に拒絶査定不服審判が請求されると同時に手続補正書が提出されたものである。
　
第２．本願請求項１に係る発明
　本願請求項１に係る発明は、平成２５年１月２３日付け手続補正書により補正された特許請求の範囲の請求項１に記載された事項により特定される以下のとおりのものである。（以下、本願請求項１に係る発明を「本願発明１」という。）
　
「【請求項１】」　
　長骨の内腔内のキャビティに対して修正外科手術を行う際に用いるためのキットであって、前記キャビティが、前記長骨の切除平面から延びている、前記キットにおいて、
　内腔コンポーネントであって、　
　　前記内腔コンポーネントが、前記内腔コンポーネントの外面を画定しており、
　　前記内腔コンポーネントの少なくとも一部が、前記長骨の前記内腔内の前記キャビティにはめ込まれるように構成されており、
　　前記内腔コンポーネントが、内腔部分を含み、前記内腔部分が、前記キャビティ内に挿入するための第１の端部、および反対側の第２の端部を画定しており、　
　　前記内腔コンポーネントが、前記内腔部分の前記第２の端部から延びたスリーブ部分をさらに含み、前記スリーブ部分が、前記スリーブ部分の内面を有しており、前記内面が前記スリーブ部分の内部キャビティを画定しており、前記スリーブ部分の前記内面の一部が平面であり、前記内腔コンポーネントが前記平面から延びる孔をさらに含み、前記スリーブ部分が、前記スリーブ部分の外面をも画定している、　
　前記内腔コンポーネントと、　
　前記内腔コンポーネントに取外し可能に連結できる第１の関節コンポーネントであって、第２の骨に植え込むように構成されたプロテーゼコンポーネントと協働する本体部分、および連結部分を有しており、前記第１の関節コンポーネントの前記連結部分が、この連結部分の外面を画定しており、前記第１の関節コンポーネントの前記本体部分は、前記第１の関節コンポーネントの前記連結部分の前記外面から延びており、前記第１の関節コンポーネントの前記連結部分の前記外面の一部が平面で、前記スリーブ部分の前記平面と接触可能であることによって、前記第１の関節コンポーネントの前記連結部分の前記外面の少なくとも一部が、前記内腔コンポーネントの前記スリーブ部分の前記内部キャビティ内にはめ込まれることができる、前記第１の関節コンポーネントと、　
　前記内腔コンポーネントに取外し可能に連結できる第２の関節コンポーネントであって、第２の骨に植え込むように構成されたプロテーゼコンポーネントと協働する本体部分、および連結部分を有しており、前記第２の関節コンポーネントの前記連結部分が、この連結部分の外面を画定しており、前記第２の関節コンポーネントの前記本体部分は、前記第２の関節コンポーネントの前記連結部分の前記外面から延びており、前記第２の関節コンポーネントの前記連結部分の前記外面の一部が平面で、前記スリーブ部分の前記平面と接触可能であることによって、前記第２の関節コンポーネントの前記連結部分の前記外面の少なくとも一部が、前記内腔コンポーネントの前記スリーブ部分の前記内部キャビティ内にはめ込まれることができ、これにより、前記第１の関節コンポーネントが前記内腔コンポーネントに連結固定されると、前記第１の関節コンポーネントの前記連結部分の前記外面が、前記内腔コンポーネントの前記スリーブ部分の前記外面から内側に離間し、これにより、前記長骨に対する前記内腔コンポーネントの固定を妨げずに、前記第１の関節コンポーネントを前記長骨から取り外して、前記第２の関節コンポーネントと交換することができる、前記第２の関節コンポーネントと、
　を含み、
　前記第１および第２の関節コンポーネントがそれぞれ、前記関節コンポーネントの前記連結部分を前記内腔コンポーネントの前記スリーブ部分に連結するためのコネクタの一端側を受容するための開口を前記連結部分の前記平面に画定しており、前記コネクタの他端側は前記内腔コンポーネントの前記孔に受容される、キット。」　
　
第３．原査定の理由の概要
　原査定の理由の概要は、次の理由のとおりである。
（理由１）
　本願の請求項１に係る発明の全ての技術的特徴が、下記の刊行物の開示内容に照らして先行技術に対する貢献をもたらすものではないから、当該技術的特徴は、特別な技術的特徴であるとはいえない。よって、本願発明と他の請求項に係る発明との間に、同一の又は対応する特別な技術的特徴を見いだすことができないから、この出願は、特許法第３７条に規定する要件を満たさない。
　
（理由２）
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
記
　
刊行物１：米国特許出願公開第２００４／０１０７００１号明細書
刊行物２：特表平５−５０９００６号公報
刊行物３：米国特許第４６０８０５５号明細書
　　　　
第４．当審の判断（原査定の理由２について）
１．引用刊行物の記載事項
（１）本願の優先権主張日前に頒布された刊行物１には以下の事項が記載されている。
１ａ）”[0003] The present invention relates generally to systems, kits and methods for joint replacement using multiple components. In one embodiment, the present invention includes as components a head, a neck and a stem. ”
「【0003】本発明は、システム、キット、複数のコンポーネントを使用した関節置換のための方法に関する。一実施形態において、本発明は、頭部、ネックおよびステムからなるコンポーネントを含む。」（当審訳）　　
　
１ｂ）”[0022] In one embodiment the neck portion and stem portion may be formed integrally in that they are one piece. In another embodiment, the stem and neck portions are de-coupled resulting in two distinct pieces. A modular neck portion which may be combined with a modular stem portion to allow additional rotational alignment and positioning of the neck portion independent from and relative to the stem. This achieves additional variable positioning independent of that achieved after full insertion of the stem portion. ”
「【0022】一実施形態では、ネック部分とステム部分は、完全に一体的に形成することができる。別の実施形態では、ステムとネック部分が２つの別個の部分とすることにより、別個のものとすることができる。
　モジュラーネック部分は、ネック部分の付加的な回転位置合わせ及び位置決めにより、ステムに対して独立してモジュラーステム部分と組み合わせることができる。
　これにより、ステムを完全に挿入した後に達成されるものとは独立して追加の可変ポジショニングを実現している。」（当審訳）
　
１ｃ）”[0024] In one embodiment, the system of the present invention may include a stem portion with a proximal end, a midshaft bearing at least one axially directed ridge, and a distal non-ridged shaft. The system may further include a head portion and a neck portion. In one embodiment, the head portion is dimensionally adapted to articulate with a surgically prepared joint socket, and the neck portion is dimensionally adapted for bearing the head portion into an anatomically correct relationship with the surgically prepared joint socket. In one embodiment, the neck portion is formed integrally with the stem portion. And another embodiment, the neck portion is removably attachable to the stem portion and mates therewith. The system may include means for removing the stem portion from the medullary canal of the bone and may include means for detaching the neck portion from the stem portion. ”
「【0024】一実施形態では、本発明のシステムは、近位端、中間シャフトベアリング、少なくとも軸方向に向けられたリッジ、および遠位非隆起シャフトを有するステム部分を含むことができる。システムはさらに、頭部とネック部を含むことができる。
一実施形態では、ヘッド部分は、寸法的に外科的に調製関節ソケットと関節接合するように適合され、ネック部は、寸法的に外科的に調製ジョイントのソケットを有する解剖学的に正しい関係にヘッド部を担持するように適合されている。
　一実施形態において、ネック部分は、ステム部と一体に形成されている。
別の実施形態では、ネック部分は、ステム部と嵌合および取り外し可能に取り付け可能である。　
　システムは、骨の髄管からステム部分を除去するための手段、及びステム部からネック部を取り外すための手段を含みうる。」　
　
１ｄ）”［0025] In one embodiment, the present invention provides for kits that may be used for assembling a joint replacement prosthesis. A kit may include at least four prosthetic members that are selected from a group consisting of stem members, neck members and head members so that at least one stem member, neck member and head member is included in the kit. Each stem member in the kit has a proximal end, a midshaft bearing at least one axially directed ridge, and a distal non-ridged shaft. Each neck member is dimensionally adapted to mate with at least one stem member and has a predetermined size and shape for replacing a segment of joint extending from a long bone shaft to a joint head. Each neck member in the kit is differently size and shaped. ”
「【0025】一つの態様において、本発明は、関節置換プロテーゼを組み立てるために使用することができるキットを提供する。
　キットは、少なくとも１つのステム部材、ネック部材とヘッド部材がキットに含まれるように、ステム部材、ネック部材とヘッド部材からなる群から選択される少なくとも四つの補綴部材を含んでもよい。
　キット中の各ステム部材は、近位端部、少なくとも１つの軸方向に向けた隆起部を有する中間シャフト軸受と、遠位非隆起軸を有する。
　各ネック部材は、寸法的に少なくとも一つの軸部材と嵌合するように適合され、関節頭に長骨軸から延びる関節のセグメントを置換するための所定のサイズおよび形状を有している。
　キット中の各々のネック部は、異なるサイズ、形状となっている。」（当審訳）
　
１ｅ）”[0029] The present invention further provides methods for replacing a joint. In one practice of the present invention, a method includes the steps of providing a stem portion, a head portion and a neck portion, resecting the joint head and preparing the medullary cavity of the bone shaft, identifying a proper position for assembling the stem portion, neck portion and head portion so that their assembly restores a proper anatomic relationship, positioning the stem portion in the medullary cavity, assembling the stem portion, neck portion and head portion, and securing the stem portion, neck portion and head portion in their preselected positions.”
「【0029】本発明は、さらにジョイントを交換するための方法を開示している。
　本発明の一つの実施形態において、本方法は、ステム部分、ヘッド部とネック部を設ける関節頭を切除し、骨軸の髄腔を調製し、ステム部を組み立てるための適切な位置を特定するステップを含むとともに、ネック部およびヘッド部それらのアセンブリは、ステム部分、ネック部分及びヘッド部分の組み立て、骨髄腔にステム部を位置決めし、その予め選択されたステム部、ネック部およびヘッド部を固定し、適切な解剖学的関係を復元する。」（当審訳）
　
１ｆ）”[0048] As shown in FIGS. 1A, 1B, and 2, a prosthesis according to the present invention includes an elongated stem portion (10) of the device which is the portion that is inserted into the medullary canal of the bone. The device also includes a neck portion (40) which may be integral with the stem portion (10), as shown in FIG. 2. In the embodiment depicted in FIG. 1A, the stem portion (10) is independent from the neck portion (40), the two portions being assembled and joined by a locking means, an example of which is shown in FIGS. 3A, 4 and 13. To complete the prosthesis, a modular hip head (30) can be attached to the neck of the one-piece integral stem and neck component or to the non-integral neck (40) which has means for attachment to the stem portion (10). The assembly of the device is not limited temporally, in that assembly can occur before surgery, immediately prior to implantation, or during implantation. The attachment means described below allows for ease of assembly even when access is limited by the surgical exposure.
[0049] FIG. 3A shows an embodiment of an attachment mechanism for attaching the neck portion (40) to the stem portion (10). The attachment mechanism comprises both means for coupling the two parts together and means for locking them securely together in an anatomically correct relationship. The end of the neck closest to the stem may be called the attaching end of the neck, and the end of the stem closest to the neck may be called the attachment end of the stem. The end of the neck closest to the joint socket may be called the articulation end and the end of the stem that is inserted in the bone may be called the insertion end. In these figures, the neck (40) bears a male spigot (44) that may be inserted into a central bore (28) within the stem (10). The spigot (44) and the bore (28), may be substantially cylindrical, or may incorporate a proximal locking band (46) as illustrated and as described in more detail below. A key or tab (27) is provided on the top proximal flat (33) of the stem (10) to secure a particular rotational alignment of the neck with respect to the stem. FIG. 4 depicts a receiving slot (45) on the neck into which the key or tab (27) from the stem may be inserted.”
「【0048】図１Ａ、図１Ｂ、及び図２に示すように、本発明によるプロテーゼは骨の髄管内に挿入される部分である装置の細長いステム部分（10）を含む。
　装置はまた、図２に示すように、ステム部分（10）と一体であってもよいネック部（40）を含む。 
　図１Ａの実施形態では、ステム部分（10）がネック部（40）から独立して、二つの部分が組み立てられ、図３Ａ、４および１３に示されるようにロック手段によって接合される。
　プロテーゼを完成するために、モジュラー股関節頭部（30）は、ステム部分（10）に取り付けるための手段を有する、一体となったステムおよびネックコンポーネントのネックまたは一体となっていないネック（40）に取り付けられる。
　装置の組み立ては、そのアセンブリ内で、一時的なものに限定されるのではなく、移植前、手術前、または移植中に行うことができる。
　以下に説明する取り付け手段により、アクセスが外科的露出によって制限されていたとしても、組立を容易にすることができる。
【0049】図３Ａは、ステム部分（10）に首部分（40）を取り付けるための装着機構の実施形態を示している。
　取付機構は、２つの部分を結合するための両方の手段を含み、解剖学的に正しい関係で確実にそれらを一緒にロックするための手段からなる。
　ステムに最も近いネックの端部は、ネックの取付端部と呼ばれることもあり、首に最も近いステムの端部は、ステムの取付端部と呼ばれてもよい。
　関節ソケットに最も近いネックの端部は、関節動作エンドと呼ばれてもよいし、骨に挿入され、ステムの端部は、挿入端部と呼ばれてもよい。
　これらの図において、ネック（40）は、ステム（10）内の中央の穴（28）に挿入することができる雄スピゴット（44）を支持する。
　スピゴット（44）とボア（28）は、実質的に円筒形であってもよいし、以下により詳細に記載されるように示されているように、近位ロックバンド（46）を組み込んでもよい。
　キーまたはタブ（27）がステムに対して首の特定の回転整列を確保するステム（10）の上部近位平坦部（33）に設けられている。
図。図４は、ステムからのキーまたはタブ（27）を挿入することができる首受容スロット（45）を示す。」（当審訳）
　
１ｇ）”［0051] FIG. 3B further shows that the neck portion (40) can be independent of the stem portion (10) and assembled and joined to the stem portion prior to final implantation. ”
「【0051】図3Bは、さらに、ネック部（40）がステム部（10）の独立して組み立てられ、最終的な移植の前に、ステム部に接合することができることを示している。」（当審訳）
　
１ｈ）Ｆｉｇ．１４Ｄから、ステム（10）が、長骨の髄腔の空間内に挿入されることが看取できる。
　
１ｉ）１ｃ）の記載から、「ネック部は、ステム部と嵌合および取り外し可能」といえる。
　
１ｊ）１ｆ）の記載、及びＦｉｇ．３Ａの記載から、ステム部（10）は、上部近位平坦部（33）を有し、Ｆｉｇ３Ｂから、ネック部（40）が上部近位平坦部（33）をもってステム１０と接触しているといえる。　　
　
　上記１ａ）〜１ｊ）の記載、及びＦｉｇ．１Ａ，１Ｂ，３Ａ，３Ｂ，４，７，８，１４Ａ，１４Ｂ，１４Ｃ，１４Ｄの記載を総合すると、刊行物１には以下の発明（以下「引用発明」という）が記載されている。
　
「長骨の髄腔内の空間に対して外科手術を行うためのキットであって、髄腔が関節頭を切除した長骨の端面から延びている、前記キットにおいて、
　ステム部（10）であって、
　前記ステム部（10）が前記ステム部（10）の外面を有しており、
　前記ステム部（10）の少なくとも一部が、前記長骨の前記髄腔内の空間に挿入されるように構成されており、
　ステム部（10）が、髄腔内の空間に挿入するための一方の端部と、反対側の他方の端部を有し、
　ステム部（10）における上部近位平坦部（33）から延びるボア（28）を含み、
　ステム部（10）に取り外し可能に嵌合されるネック部（40）であって、
　前記ネック部（40）は、ヘッド部材（30）と結合する外方へ延出する部分と、ステム部（10）における上部近位平坦部（33）と接触する面からなる部分を含むものであって、
　前記ネック部（40）は、ボア（28）に挿入して取り付けるための雄スピゴット（44）を備えるものであるキット。」
　
（２）本願の優先権主張日前に頒布された刊行物２には以下の事項が記載されている。
　２ａ）Ｆｉｇ．６には、頭部２３と軸部２１との間に結合される肘部２２が、軸部２１に嵌合されるテーパ２９及びフランジ３４と、頭部２３に嵌合されるテーパ３１を含む部材であることが記載されている。
　
（３）本願の優先権主張日前に頒布された刊行物３には以下の事項が記載されている。
　３ａ）Ｆｉｇ．１には、ネック部材１３が、基礎ネック部材１５の表面から延出することが記載されている。
　
２．対比
　本願発明１と引用発明とを対比すると、引用発明の「髄腔」は、本願発明１の「内腔」に相当し、引用発明の「長骨の端面」は、本願発明１の「長骨の切除平面」に相当し、引用発明の「ステム部（10）」は、本願発明１の「内腔コンポーネント」に相当し、引用発明の「一方の端部」、「他方の端部」は、本願発明１の「第１の端部」、「第２の端部」に相当し、引用発明の「空間」は、本願発明１の「キャビティ」に相当し、引用発明の「ヘッド部材（30）」は、本願発明１の「第２の骨に植え込むように構成されたプロテーゼコンポーネント」に相当し、引用発明の、「ネック部（４０）」の「ヘッド部材（30）と結合する外方へ延出する部分」は、本願発明１の「本体部分」に相当し、引用発明の、「ネック部（４０）」の「ステム部（10）における上部近位平坦部（33）と接触する面からなる部分」は、本願発明１の「連結部分」に相当する。
　そして、引用発明の「外科手術」と、本願発明１の「修正外科手術」とは、「外科手術」である点で一致し、引用発明１の「ネック部（40）」と、本願発明１の「第１の関節コンポーネント」、「第２の関節コンポーネント」は、「関節コンポーネント」である点で一致する。
　
　したがって、両者は、「長骨の内腔内のキャビティに対して外科手術を行う際に用いるためのキットであって、前記キャビティが、前記長骨の切除平面から延びている、前記キットにおいて、
　内腔コンポーネントであって、　
　　前記内腔コンポーネントが、前記内腔コンポーネントの外面を画定しており、
　　前記内腔コンポーネントの少なくとも一部が、前記長骨の前記内腔内の前記キャビティにはめ込まれるように構成されており、
　　前記内腔コンポーネントが、内腔部分を含み、前記内腔部分が、前記キャビティ内に挿入するための第１の端部、および反対側の第２の端部を画定しており、
　内腔コンポーネントに取外し可能に連結できる関節コンポーネントであって、第２の骨に植え込むように構成されたプロテーゼコンポーネントと協働する本体部分、および連結部分を有しており、前記関節コンポーネントの前記連結部分が、この連結部分の外面を画定しており、前記関節コンポーネントの前記本体部分は、前記関節コンポーネントの前記連結部分の前記外面から延びているキット。」である点で一致し、次の点で相違する。
　
［相違点１］
　本願発明１においては、修正または最適化が必要な外科的誤差を修正するための（本願明細書段落【００１３】参照）、「修正外科手術」を行うのに対して、引用発明の外科手術が、「修正外科手術」に相当するのか不明である点。
　
［相違点２］
　本願発明１においては、「内腔コンポーネントが、第２の端部から延びたスリーブ部分をさらに含み、前記スリーブ部分が、前記スリーブ部分の内面を有しており、前記内面が前記スリーブ部分の内部キャビティを画定しており、前記スリーブ部分の前記内面の一部が平面であり、前記内腔コンポーネントが前記平面から延びる孔をさらに含み、前記スリーブ部分が、前記スリーブ部分の外面をも画定している」のに対して、引用発明において、本願発明１に係るこれらの発明特定事項を有していない点。
　
［相違点３］
　本願発明１においては、「修正外科手術を行い際に用いるためのキット」が、「第１の関節コンポーネント」、及び「第２の関節コンポーネント」をそれぞれ備えるものであるのに対して、引用発明においては、キットが、そのような「第１の関節コンポーネント」、及び「第２の関節コンポーネント」に相当するものを有するか不明である点。
　
［相違点４］
　本願発明１においては、「第１（第２）の関節コンポーネントの連結部分の外面の一部が平面で、前記スリーブ部分の前記平面と接触可能であることによって、前記第１（第２）の関節コンポーネントの前記連結部分の前記外面の少なくとも一部が、内腔コンポーネントの前記スリーブ部分の前記内部キャビティ内にはめ込まれることができ、これにより、第１の関節コンポーネントが内腔コンポーネントに連結固定されると、前記第１の関節コンポーネントの連結部分の外面が、前記内腔コンポーネントのスリーブ部分の前記外面から内側に離間し、これにより、長骨に対する前記内腔コンポーネントの固定を妨げずに、前記第１の関節コンポーネントを前記長骨から取り外して、第２の関節コンポーネントと交換することができる、前記第２の関節コンポーネントとを含み、第１および第２の関節コンポーネントがそれぞれ、前記関節コンポーネントの前記連結部分を前記内腔コンポーネントの前記スリーブ部分に連結するためのコネクタの一端側を受容するための開口を前記連結部分の前記平面に画定しており、前記コネクタの他端側は前記内腔コンポーネントの前記孔に受容される」のに対して、引用発明においては、本願発明１に係るこれらの発明特定事項を有していない点。
　
３．判断
［相違点４について］
　最初に、上記[相違点４]について検討すると、刊行物２、及び刊行物３の記載において、上記相違点４に係る本願発明における発明特定事項全体（以下「構成Ａ」という）についての記載や示唆がない。
　また、引用発明と、上記刊行物２、刊行物３に記載された事項を組み合わせたとしても、上記相違点４に係る本願発明における発明特定事項が、当業者にとって容易に導き出せるものであるとはいえない。
　そして、この構成Ａを採用することにより、「長骨６に対する内腔要素１２の固定を妨げずに、ネックコンポーネント１８を長骨６から取り外すことができる。」（本願明細書段落【００７７】の記載）という効果を奏するものである。
　したがって、上記相違点４に係る本願発明１は、引用発明、刊行物２あるいは刊行物３に記載された発明に基いて、当業者が容易に発明をすることができたとはいえない。
　
　そして、上記において検討したとおり、相違点４に係る本願発明１は、引用発明、刊行物２あるいは刊行物３に記載された発明に基いて、当業者が容易に発明をすることができたとはいえないのであるから、他の相違点について検討するまでもなく、本願発明１は、引用発明、刊行物２、及び刊行物３に記載された発明に基いて、当業者が容易に発明をすることができたとはいえない。
　
４．本願請求項２ないし１３に係る発明
　本願請求項２ないし１３に係る発明（以下「本願発明２」ないし「本願発明１３」という。）は、本願発明１の発明特定事項の全てを含むものであるから、上記[相違点４について]における検討と同様の理由により、本願発明２ないし１３は、引用発明、刊行物２、及び刊行物３に記載された発明に基いて、当業者が容易に発明をすることができたとはいえない。
　
５．小括
　以上のとおり本願発明１ないし１３は、引用発明、刊行物２、及び刊行物３に記載された発明に基いて、当業者が容易に発明をすることができたとはいえないから、原査定の理由２によっては、本願を拒絶することはできない。　　　
　
　なお、平成２５年６月２８日付け前置報告書において、「関節コンポーネントにコネクタの一端部を受容するための開口を設け、内腔コンポーネントのスリーブ部分にコネクタの他端側を受容するための孔を設ける」ことの周知例として、
刊行物４：米国特許第５００２５７８号明細書
刊行物５：特表平１０−５０２２８４号公報
刊行物６：特開昭５１−１３２６９１号公報
が挙げられているが、これら刊行物４ないし６のいずれにおいても、上記構成Ａについての記載や示唆がなされていないから、本願発明１ないし１３は、引用発明及び刊行物２ないし６に記載された発明を組み合わせることにより当業者が容易に発明をすることができたとはいえない。
　
第５．当審の判断（原査定の理由１について）
　本願発明１は、上記相違点１ないし４において、引用発明と相違するものであって、少なくとも上記相違点４に係る発明特定事項を有することにより、「長骨６に対する内腔要素１２の固定を妨げずに、ネックコンポーネント１８を長骨６から取り外すことができる」という、引用発明が有することのない作用を奏するものである。
　したがって、本願発明と引用発明とは実質的に相違するから、本願発明１は、引用発明と同一であるとはいえず、特別の技術的特徴を有するものである。
　よって、理由１によっては、本願を拒絶することはできない。
　
第６．むすび
　以上のとおりであるから、原査定の理由１、２によっては、本願を拒絶することはできない。また、他に本願を拒絶する理由を発見しない。
　
　よって、結論のとおり審決する。